(57)【要約】      （修正有）【課題】藻類が固着し易く、水生動物の生息・産卵・孵化に適しており、設置した水域の環境に対する被害が少ない漁礁用ブロックを提供すること。【解決手段】漁礁用ブロック１０は、形成されている穴、貫通孔２０、先細穴、又はスライス溝の開口部２２，２４，全長、又は幅の寸法が、水生動物の生息・産卵・孵化に適しているので、水生動物が集まり易い。また、自然石１２を用いているため、粗い表面に微生物や藻類が付着又は固着し易く、有害物質が溶出する可能性が低く、漁礁用ブロックの周辺の水流の流速に影響を与え難い。【選択図】図１
2018130092.tif 000002
【特許請求の範囲】
【請求項１】
自然石を加工した漁礁用ブロックであって、
ａ．開口部の径が５０〜２００ｍｍ、全長１００〜３００ｍｍの非貫通の穴
ｂ．開口部の径が５０〜２００ｍｍの貫通孔
ｃ．開口部の径が２００〜３００ｍｍ、全長３００〜５００ｍｍの非貫通の先細穴
ｄ．幅が１０〜５０ｍｍのスライス溝、
ｅ．前記自然石の設置時の下面に設けられ、高さが１５０〜５００ｍｍのＵ字状の貫通トンネル
前記ａ〜ｅの内、複数のａ〜ｅの構成、又はａ〜ｅのいずれか若しくは全てを組合せた構成を具えることを特徴とする、
漁礁用ブロック。
【請求項２】
一の面から他の面に貫通する連結用孔が設けられ、
前記連結用孔に挿通された連結用線材を具える、請求項１の漁礁用ブロック。
【請求項３】
前記ｂの構成を具え、
前記貫通孔が３以上の開口部を具えている、請求項１又は２の漁礁用ブロック。
【請求項４】
前記ｂの構成を具え
前記貫通孔が湾曲している、請求項１から３のいずれかの漁礁用ブロック。
【請求項５】
前記ｂの構成を具え
前記貫通孔の中間に室が形成されている、請求項１から４のいずれかの漁礁用ブロック。
【請求項６】
前記自然石の設置時の上面又は下面の全面に凹凸形状が形成されている、請求項１から５のいずれかの漁礁用ブロック。
【請求項７】
前記ａ〜ｃのいずれかの構成を具え、
前記自然石の設置時の上面に、前記穴、貫通孔、又は先細穴と連通する器部が設けられている、請求項１から６のいずれかの漁礁用ブロック。
【発明の詳細な説明】
【技術分野】
【０００１】
本発明は、海底に設置される漁礁用ブロックに関し、具体的には、魚やエビ等の生息・産卵・孵化、或いは藻類の生育に適するように加工された漁礁用ブロックに関する。
【背景技術】
【０００２】
漁獲量を増加させるために、魚やエビ等の生息・産卵・孵化に適した場所を用意する目的で、人工の漁礁を製造して海底に設置することが行われている。このような人工の漁礁として、例えば、特許文献１〜４に示されているものがある。
【先行技術文献】
【特許文献】
【０００３】
【特許文献１】特開２０１６−３４２６３号公報
【特許文献２】特開２００３−１１６３９８号公報
【特許文献３】特開２０１３−１７４６２号公報
【特許文献４】特開平６−１４１７２９号公報
【０００４】
特許文献１には、魚のための袋小路状の穴と通水孔が設けられ、位置決め及び連結用の突起部と凹部が設けられたコンクリート製の漁礁ブロックが開示されている。
【０００５】
特許文献２には、貝殻等の廃棄物と製鋼スラグをセメントと混合して成形した漁礁用ブロックが開示されている。
【０００６】
特許文献３には、貫通孔が形成された漁礁用ブロックであって、原材料としての骨材が水砕スラグであるものが開示されている。
【０００７】
特許文献４には、自然石連結し、三次元空間を構成した漁礁用ブロックが開示されている。
【発明の概要】
【発明が解決しようとする課題】
【０００８】
人工の漁礁用ブロックとしては、特許文献１が開示するような、コンクリート製のものが大半である。コンクリートは、加工・成形が容易であるため、漁礁用ブロックに広く用いられているが、六価クロム等の有害物質が溶け出る可能性があり、また、主に表面の性質上、藻類が固着し難く、一方で水流を早めてしまうため、設置した水域の環境に悪影響を及ぼす可能性がある。
【０００９】
また、特許文献２，３が開示しているように、貝殻や高炉スラグ等の産業廃棄物を加工して漁礁用ブロックを製造することも行われている。しかし、スラグを固化するためにセメントを用いるため、六価クロム等の有害物質が溶け出る可能性があり、コンクリート製の漁礁用ブロックと同様、設置した水域の環境に悪影響を及ぼす可能性がある。
【００１０】
一方、特許文献４が開示しているような、自然石を用いた漁礁用ブロックの場合、コンクリートやセメントを有する漁礁用ブロックに比べ、有害物質が溶け出る可能性が低く、また、流速に与える影響も少ないので、設置した水域の環境に対する被害を抑えることができる。しかし、自然石を連結させただけでは、魚やエビ等の生息・産卵・孵化に適した場所としては不十分であり、改良の余地がある。
【００１１】
そこで、本発明は、前述した従来技術の問題点に鑑み、藻類が固着し易く、水生動物の生息・産卵・孵化に適しており、設置した水域の環境に対する被害が少ない漁礁用ブロックを提供することを目的とする。
【課題を解決するための手段】
【００１２】
本発明は、自然石を加工した漁礁用ブロックであって、
ａ．開口部の径が５０〜２００ｍｍ、全長１００〜３００ｍｍの非貫通の穴
ｂ．開口部の径が５０〜２００ｍｍの貫通孔
ｃ．開口部の径が２００〜３００ｍｍ、全長３００〜５００ｍｍの非貫通の先細穴
ｄ．幅が１０〜５０ｍｍのスライス溝、
ｅ．前記自然石の設置時の下面に設けられ、高さが１５０〜５００ｍｍのＵ字状の貫通トンネル
前記ａ〜ｅの内、複数のａ〜ｅの構成、又はａ〜ｅのいずれか若しくは全てを組合せた構成を具えることを特徴とする漁礁用ブロックによって前記課題を解決した。
【発明の効果】
【００１３】
本発明によれば、漁礁用ブロックが自然石製のため、粗い表面に微生物や藻類が付着又は固着し易く、有害物質が溶出する可能性も低いので安全である。また、粗い表面の性質上、漁礁用ブロックの周辺の水流の流速に影響を与え難いので、この点でも、漁礁用ブロックを設置した水域の環境に対する被害が少ない。また、形成されている穴、貫通孔、先細穴、又はスライス溝の開口部、全長、又は幅の寸法が、漁礁を設置することが多い水域（沿岸部等）の水生動物の生息・産卵・孵化に適しているので、水生動物が集まり易い。
【００１４】
また、連結用孔と連結用線材を具える構成とすれば、漁礁用ブロック同士を連結するのに便利で、漁礁用ブロックが流されることを防止し易い。
【００１５】
また、貫通孔が３以上の開口部を具えている構成とすれば、他方向から水又は水生生物が出入りすることができるので、水生動物の生息・産卵・孵化に一層適した漁礁用ブロックとすることができる。貫通孔が湾曲している構成、貫通孔の中間に室が形成されている構成、或いは、自然石の設置時の上面又は下面の全面に凹凸形状が形成されている構成とすることによっても、水生動物の生息・産卵・孵化に一層適した漁礁用ブロックとすることができる。
【００１６】
また、自然石の設置時の上面に、穴、貫通孔、又は先細穴と連通している器部が設けられている構成とすれば、器部に砂利等を敷き詰めることができ、微生物が生息し易い漁礁用ブロックとすることができる。
【図面の簡単な説明】
【００１７】
【図１】本発明の第１実施形態の漁礁用ブロックの斜視図。
【図２】本発明の第２実施形態の漁礁用ブロックの斜視図。
【図３】本発明の第３実施形態の漁礁用ブロックの斜視図。
【図４】本発明の第４実施形態の漁礁用ブロックの斜視図。
【図５】本発明の第５実施形態の漁礁用ブロックの斜視図。
【図６】本発明の第６実施形態の漁礁用ブロックの斜視図。
【図７】本発明の第７実施形態の漁礁用ブロックの斜視図。
【図８】本発明の第８実施形態の漁礁用ブロックの斜視図。
【図９】本発明の第９実施形態の漁礁用ブロックの斜視図。
【図１０】本発明の第１０実施形態の漁礁用ブロックの斜視図。
【図１１】本発明の漁礁用ブロックを複数組み合わせて設置した状態を示す図。
【発明を実施するための形態】
【００１８】
本発明の実施例を図１〜１１を参照して説明する。但し、本発明はこの実施形態に限定されるものではない。
【００１９】
図１に示す漁礁用ブロック１０は、自然石１２に後述する加工を施したものである。自然石製の漁礁用ブロック１０は、粗い表面に微生物や藻類が付着又は固着し易く、有害物質が溶出する可能性も低いので安全である。また、粗い表面の性質上、漁礁用ブロック１０の周辺の水流の流速に影響を与え難いので、この点でも、漁礁用ブロック１０を設置した水域の環境に対する被害が少ない。特に、本発明に用いる自然石１２として、漁礁用ブロック１０を設置する水域に面する土地か、当該水域近傍の土地から採石したものを用いれば、漁礁用ブロック１０を設置する水域に対する被害をより少なくすることができるので好適である。
【００２０】
漁礁用ブロック１０は、複数の貫通孔２０を具え、貫通孔２０は、自然石１２の一の面の開口部２２と他の面の開口部２４を有している。貫通孔２０の開口部２２，２４の径の寸法ａはともに同一であり、その範囲は１００〜２００ｍｍである。なお、貫通孔２０の全長は、例えば、６００〜８００ｍｍである。この開口部と全長の関係が、特に、漁礁ブロックを設置し易い沿岸部の海域の水生動物の生息・産卵・孵化に適しているので、水生動物が集まり易いからである。貫通孔２０の場合、一の開口部２２から他の開口部２４に亘って一定の径を有するが、これに限らず、貫通孔２０の径を途中で変更することもできる。
【００２１】
また、漁礁用ブロック１０は、自然石１２の一の面から他の面に貫通する連結用孔１４が設けられており、連結用孔１４には、連結用線材１６が挿通されている。連結用線材１６を、例えば、図２に示す漁礁用ブロック１０ａの連結用孔１４ａに挿通して、漁礁用ブロック同士を連結することにより（図１１参照。）、潮流等により流されることを防止し易くすることができる。なお、連結用線材１６としては、ワイヤや鎖等を用いればよい。なお、連結用線材１６を貫通孔２０や、貫通トンネル７０（図５参照）に挿通させることも可能である。
【００２２】
図２に示す漁礁用ブロック１０ａは、自然石１２に、複数の非貫通の穴３０，３０ａが設けられたものである。穴３０の開口部３２の径の寸法ｂは、１００〜２００ｍｍであり、全長は１００〜３００ｍｍとするのがよい。一方、穴３０ａの開口部３２ａの径の寸法ｃは、５０〜１００ｍｍであり、全長は１００〜３００ｍｍとするのがよい。この開口部と全長の関係が、特に、漁礁ブロックを設置し易い沿岸部の海域の水生動物の生息・産卵・孵化に適しているので、水生動物が集まり易いからである。
【００２３】
図３に示す漁礁用ブロック１０ｂは、自然石１２ｂに貫通孔４０が設けられたものであり、貫通孔４０は、３以上の開口部、具体的には、開口部４２〜４２ｄの５つを具えている。貫通孔４０の径の寸法は、貫通孔２０（図１参照）と同様である。貫通孔４０のように、３以上の開口部４２〜４２ｄを具えている構成とすれば、他方向から水又は水生生物が出入りすることができるので、水生動物の生息・産卵・孵化に一層適した漁礁用ブロックとすることができる。なお、開口部の個数は任意に設定すればよい。
【００２４】
図４に示す漁礁用ブロック１０ｃは、漁礁用ブロック１０（図１参照）と同様の貫通孔２０，２０ａを具え、さらに、スライス溝５０，５０ａが形成されている。スライス溝５０，５０ａの幅の寸法ｄは、１０〜５０ｍｍであり、深さの寸法ｅは２００〜５００ｍｍ、全長は７００〜１０００ｍｍとするのがよい。漁礁ブロックを設置し易い沿岸部の海域の水生動物の生息・産卵・孵化に適しているからである。スライス溝５０は、図示しているように、連続して複数設けることができる。また、スライス溝５０ａのように、貫通孔２０ａと連通させてもよい。なお、図示しての説明は省略するが、スライス溝５０，５０ａを非貫通の穴３０，３０ａ（図２参照）、３以上の開口部を具える貫通孔４０（図３参照）、先細穴６０（図５参照）、貫通トンネル７０（図５参照）、経路が湾曲している貫通孔８０（図６参照）、或いは、器部１００（図８参照）と連通させてもよい。
【００２５】
図５に示す漁礁用ブロック１０ｄは、非貫通でテーパ状に先細りになっている先細穴６０と、自然石１２ｄの設置時の下面１８に設けられるＵ字状の貫通トンネル７０，７０ａが設けられている。先細穴６０は、開口部６２の径の寸法ｆが２００〜３００ｍｍであり、底の径の寸法ｇを５０〜１００ｍｍ、全長３００〜５００ｍｍとするのがよい。なお、先細穴６０を複数具える構成とすることもできる。貫通トンネル７０，７０ａは、高さｈが１５０〜５００ｍｍであり、幅ｉは１００〜３００、全長７００〜１０００ｍｍとするのがよい。漁礁用ブロック１０ｄでは、２本の貫通トンネル７０，７０ａが設けられているが、１本でもよく、逆に、３本以上設ける構成とすることもできる（図９参照）。また、貫通トンネル７０のように、一の開口部７２から他の開口部７４の高さが異なる構成とすることもできる。
【００２６】
図６に示す漁礁用ブロック１０ｅは、複数の開口部８２〜８２ｃを具える貫通孔８０が設けられており、貫通孔８０の途中経路は湾曲するように形成されている。貫通孔８０の開口部８２〜８２ｃの径の寸法ｊは８０〜１５０ｍｍとし、途中経路の径の寸法は１００〜２００ｍｍとするのがよい。漁礁ブロックを設置し易い沿岸部の海域の水生動物の生息・産卵・孵化に適しているからである。
【００２７】
図７に示す漁礁用ブロック１０ｆは、漁礁用ブロック１０ｂの貫通孔４０と同様の貫通孔４０ａが設けられており、自然石１２ｆの設置時の下面１８の全面に凹部９２と凸部９４からなる凹凸形状９０が形成されている。漁礁用ブロック１０ｆの場合、凹凸形状９０は曲線状であり、この場合、凹凸形状９０の深さは７５〜１２５ｍｍとするのがよい。なお、凹凸形状９０は、図９の凹凸形状１１０のように、直線状のものであってもよい。
【００２８】
図８に示す漁礁用ブロック１０ｇは、漁礁用ブロック１０（図１参照）と同様に貫通孔２０が設けられており、さらに、自然石１２ｇの設置時の上面１９に器部１００が設けられている。このように、器部１００を具える構成とすれば、器部１００に砂利等を敷き詰めることができるので、微生物が生息し易い漁礁用ブロック１０ｇとすることができる。なお、器部１００は、開口部１０２の寸法ｋを２００〜８００ｍｍとし、深さを２００〜４００ｍｍとするのがよい。また、器部１００と非貫通の穴３０，３０ａ（図２参照）、３以上の開口部を具える貫通孔４０（図３参照）、先細穴６０（図５参照）、又は経路が湾曲している貫通孔８０（図６参照）を連通させてもよい。
【００２９】
図９に示す漁礁用ブロック１０ｈは、漁礁用ブロック１０ｄ（図５参照）と同様の貫通トンネル７０，７０ａが設けられており、自然石１２ｈの設置時の上面１９の全面に凹部１１２と凸部１１４からなる凹凸形状１１０が形成されている。漁礁用ブロック１０ｈの場合、凹凸形状１１０は直線状であり、この場合、凹凸形状１１０の深さは５０〜１００ｍｍとするのがよい。図１０の自然石１２ｉの上面１９の凹凸形状１１０ａのように、曲線状のものであってもよい。
【００３０】
図１０に示す漁礁用ブロック１０ｉは、自然石１２ｉの設置時の下面１８と上面１９の両方に曲線状の凹凸形状９０，１１０ａが設けられている。また、漁礁用ブロック１０ｂの貫通孔４０と同様に複数の開口部を具える貫通孔４０ｂを具えている。貫通孔４０ｂの中間には、貫通孔４０ｂの途中経路よりも大径の室１２０が形成されている。このような室１２０を形成することで、水生動物の生息・産卵・孵化に一層適した漁礁用ブロックとすることができる。なお、室１２０の形状は適宜変更してもよい。
【００３１】
図１１に示すように、上記に説明した漁礁用ブロック１０〜１０ｉを組合せて配置することで、漁礁用ブロック群２００を構成することができる。これにより、各漁礁用ブロックの利点を取り入れた漁礁を形成することができるので、水生動物が集め易く、且つ、繁殖し易くすることができる。漁礁用ブロック１０〜１０ｉは、設置水域の環境に合わせて、単体又は複数の組合せで使用することができ、組合せ態様は、図示している以外にも自由に決定することができる。また、漁礁用ブロック群２００を格子状の保護ゲージで覆うことにより、稚魚や卵、貝、その他水生生物が捕食されないように保護することができるので、自然環境における養殖を実現することができる。
【００３２】
図示は省略するが、以上に説明した、穴、貫通孔、先細穴、スライス溝、貫通トンネル、器部は、それぞれを複数設けてもよく、いずれか又は全てを組合せた漁礁用ブロックとしてもよい。また、以上に説明した穴、貫通孔、先細穴、貫通トンネル、器部の形状は、適宜、円形、矩形、三角形等の多角形に変更することができる。このとき、上記に説明した径の寸法は、多角形の実質的な空間部の寸法と対応させればよい。
【００３３】
以上に説明したとおり、本発明によれば、藻類が固着し易く、水生動物の生息・産卵・孵化に適しており、設置した水域の環境に対する被害が少ない漁礁用ブロックを提供することができる。
【符号の説明】
【００３４】
１０〜１０ｉ  漁礁用ブロック
１２〜１２ｉ  自然石
１４〜１４ｃ  連結用孔
１６〜１６ｃ  連結用線材
１８    下面
１９    上面
２０，２０ａ，４０〜４０ｂ，８０  貫通孔
２２，２４，３２，３２ａ，４２〜４２ｄ，６２，８２〜８２ｃ  開口部
３０，３０ａ  穴
５０，５０ａ  スライス溝
６０    先細穴
７０，７０ａ  貫通トンネル
９０，１１０，１１０ａ  凹凸形状
１００    器部
１２０    室
【図１】
2018130092.tif 000003
【図２】
2018130092.tif 000004
【図３】
2018130092.tif 000005
【図４】
2018130092.tif 000006
【図５】
2018130092.tif 000007
【図６】
2018130092.tif 000008
【図７】
2018130092.tif 000009
【図８】
2018130092.tif 000010
【図９】
2018130092.tif 000011
【図１０】
2018130092.tif 000012
【図１１】
2018130092.tif 000013
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
自然石を加工した魚礁用ブロックであって、
ａ．開口部の径が５０〜２００ｍｍ、全長１００〜３００ｍｍの非貫通の穴
ｂ．開口部の径が５０〜２００ｍｍの貫通孔
ｃ．開口部の径が２００〜３００ｍｍ、全長３００〜５００ｍｍの非貫通の先細穴
ｄ．幅が１０〜５０ｍｍのスライス溝、
ｅ．前記自然石の設置時の下面に設けられ、高さが１５０〜５００ｍｍのＵ字状の貫通トンネル
前記ａ〜ｅの内、複数のａ〜ｅの構成、又はａ〜ｅのいずれか若しくは全てを組合せた構成を具えることを特徴とする、
魚礁用ブロック。
【請求項２】
一の面から他の面に貫通する連結用孔が設けられ、
前記連結用孔に挿通された連結用線材を具える、請求項１の魚礁用ブロック。
【請求項３】
前記ｂの構成を具え、
前記貫通孔が３以上の開口部を具えている、請求項１又は２の魚礁用ブロック。
【請求項４】
前記ｂの構成を具え
前記貫通孔が湾曲している、請求項１から３のいずれかの魚礁用ブロック。
【請求項５】
前記ｂの構成を具え
前記貫通孔の中間に室が形成されている、請求項１から４のいずれかの魚礁用ブロック。
【請求項６】
前記自然石の設置時の上面又は下面の全面に凹凸形状が形成されている、請求項１から５のいずれかの魚礁用ブロック。
【請求項７】
前記ａ〜ｃのいずれかの構成を具え、
前記自然石の設置時の上面に、前記穴、貫通孔、又は先細穴と連通する器部が設けられている、請求項１から６のいずれかの魚礁用ブロック。
【手続補正２】
【補正対象書類名】明細書
【補正対象項目名】全文
【補正方法】変更
【補正の内容】
【発明の詳細な説明】
【技術分野】
【０００１】
本発明は、海底に設置される魚礁用ブロックに関し、具体的には、魚やエビ等の生息・産卵・孵化、或いは藻類の生育に適するように加工された魚礁用ブロックに関する。
【背景技術】
【０００２】
漁獲量を増加させるために、魚やエビ等の生息・産卵・孵化に適した場所を用意する目的で、人工の漁礁を製造して海底に設置することが行われている。このような人工の漁礁として、例えば、特許文献１〜４に示されているものがある。
【先行技術文献】
【特許文献】
【０００３】
【特許文献１】特開２０１６−３４２６３号公報
【特許文献２】特開２００３−１１６３９８号公報
【特許文献３】特開２０１３−１７４６２号公報
【特許文献４】特開平６−１４１７２９号公報
【０００４】
特許文献１には、魚のための袋小路状の穴と通水孔が設けられ、位置決め及び連結用の突起部と凹部が設けられたコンクリート製の漁礁ブロックが開示されている。
【０００５】
特許文献２には、貝殻等の廃棄物と製鋼スラグをセメントと混合して成形した漁礁用ブロックが開示されている。
【０００６】
特許文献３には、貫通孔が形成された漁礁用ブロックであって、原材料としての骨材が水砕スラグであるものが開示されている。
【０００７】
特許文献４には、自然石連結し、三次元空間を構成した漁礁用ブロックが開示されている。
【発明の概要】
【発明が解決しようとする課題】
【０００８】
人工の漁礁用ブロックとしては、特許文献１が開示するような、コンクリート製のものが大半である。コンクリートは、加工・成形が容易であるため、漁礁用ブロックに広く用いられているが、六価クロム等の有害物質が溶け出る可能性があり、また、主に表面の性質上、藻類が固着し難く、一方で水流を早めてしまうため、設置した水域の環境に悪影響を及ぼす可能性がある。
【０００９】
また、特許文献２，３が開示しているように、貝殻や高炉スラグ等の産業廃棄物を加工して漁礁用ブロックを製造することも行われている。しかし、スラグを固化するためにセメントを用いるため、六価クロム等の有害物質が溶け出る可能性があり、コンクリート製の漁礁用ブロックと同様、設置した水域の環境に悪影響を及ぼす可能性がある。
【００１０】
一方、特許文献４が開示しているような、自然石を用いた漁礁用ブロックの場合、コンクリートやセメントを有する漁礁用ブロックに比べ、有害物質が溶け出る可能性が低く、また、流速に与える影響も少ないので、設置した水域の環境に対する被害を抑えることができる。しかし、自然石を連結させただけでは、魚やエビ等の生息・産卵・孵化に適した場所としては不十分であり、改良の余地がある。
【００１１】
そこで、本発明は、前述した従来技術の問題点に鑑み、藻類が固着し易く、水生動物の生息・産卵・孵化に適しており、設置した水域の環境に対する被害が少ない魚礁用ブロックを提供することを目的とする。
【課題を解決するための手段】
【００１２】
本発明は、自然石を加工した魚礁用ブロックであって、
ａ．開口部の径が５０〜２００ｍｍ、全長１００〜３００ｍｍの非貫通の穴
ｂ．開口部の径が５０〜２００ｍｍの貫通孔
ｃ．開口部の径が２００〜３００ｍｍ、全長３００〜５００ｍｍの非貫通の先細穴
ｄ．幅が１０〜５０ｍｍのスライス溝、
ｅ．前記自然石の設置時の下面に設けられ、高さが１５０〜５００ｍｍのＵ字状の貫通トンネル
前記ａ〜ｅの内、複数のａ〜ｅの構成、又はａ〜ｅのいずれか若しくは全てを組合せた構成を具えることを特徴とする魚礁用ブロックによって前記課題を解決した。
【発明の効果】
【００１３】
本発明によれば、魚礁用ブロックが自然石製のため、粗い表面に微生物や藻類が付着又は固着し易く、有害物質が溶出する可能性も低いので安全である。また、粗い表面の性質上、魚礁用ブロックの周辺の水流の流速に影響を与え難いので、この点でも、魚礁用ブロックを設置した水域の環境に対する被害が少ない。また、形成されている穴、貫通孔、先細穴、又はスライス溝の開口部、全長、又は幅の寸法が、魚礁を設置することが多い水域（沿岸部等）の水生動物の生息・産卵・孵化に適しているので、水生動物が集まり易い。
【００１４】
また、連結用孔と連結用線材を具える構成とすれば、魚礁用ブロック同士を連結するのに便利で、魚礁用ブロックが流されることを防止し易い。
【００１５】
また、貫通孔が３以上の開口部を具えている構成とすれば、他方向から水又は水生生物が出入りすることができるので、水生動物の生息・産卵・孵化に一層適した魚礁用ブロックとすることができる。貫通孔が湾曲している構成、貫通孔の中間に室が形成されている構成、或いは、自然石の設置時の上面又は下面の全面に凹凸形状が形成されている構成とすることによっても、水生動物の生息・産卵・孵化に一層適した魚礁用ブロックとすることができる。
【００１６】
また、自然石の設置時の上面に、穴、貫通孔、又は先細穴と連通している器部が設けられている構成とすれば、器部に砂利等を敷き詰めることができ、微生物が生息し易い魚礁用ブロックとすることができる。
【図面の簡単な説明】
【００１７】
【図１】本発明の第１実施形態の魚礁用ブロックの斜視図。
【図２】本発明の第２実施形態の魚礁用ブロックの斜視図。
【図３】本発明の第３実施形態の魚礁用ブロックの斜視図。
【図４】本発明の第４実施形態の魚礁用ブロックの斜視図。
【図５】本発明の第５実施形態の魚礁用ブロックの斜視図。
【図６】本発明の第６実施形態の魚礁用ブロックの斜視図。
【図７】本発明の第７実施形態の魚礁用ブロックの斜視図。
【図８】本発明の第８実施形態の魚礁用ブロックの斜視図。
【図９】本発明の第９実施形態の魚礁用ブロックの斜視図。
【図１０】本発明の第１０実施形態の魚礁用ブロックの斜視図。
【図１１】本発明の魚礁用ブロックを複数組み合わせて設置した状態を示す図。
【発明を実施するための形態】
【００１８】
本発明の実施例を図１〜１１を参照して説明する。但し、本発明はこの実施形態に限定されるものではない。
【００１９】
図１に示す魚礁用ブロック１０は、自然石１２に後述する加工を施したものである。自然石製の魚礁用ブロック１０は、粗い表面に微生物や藻類が付着又は固着し易く、有害物質が溶出する可能性も低いので安全である。また、粗い表面の性質上、魚礁用ブロック１０の周辺の水流の流速に影響を与え難いので、この点でも、魚礁用ブロック１０を設置した水域の環境に対する被害が少ない。特に、本発明に用いる自然石１２として、魚礁用ブロック１０を設置する水域に面する土地か、当該水域近傍の土地から採石したものを用いれば、魚礁用ブロック１０を設置する水域に対する被害をより少なくすることができるので好適である。
【００２０】
魚礁用ブロック１０は、複数の貫通孔２０を具え、貫通孔２０は、自然石１２の一の面の開口部２２と他の面の開口部２４を有している。貫通孔２０の開口部２２，２４の径の寸法ａはともに同一であり、その範囲は１００〜２００ｍｍである。なお、貫通孔２０の全長は、例えば、６００〜８００ｍｍである。この開口部と全長の関係が、特に、漁礁ブロックを設置し易い沿岸部の海域の水生動物の生息・産卵・孵化に適しているので、水生動物が集まり易いからである。貫通孔２０の場合、一の開口部２２から他の開口部２４に亘って一定の径を有するが、これに限らず、貫通孔２０の径を途中で変更することもできる。
【００２１】
また、魚礁用ブロック１０は、自然石１２の一の面から他の面に貫通する連結用孔１４が設けられており、連結用孔１４には、連結用線材１６が挿通されている。連結用線材１６を、例えば、図２に示す魚礁用ブロック１０ａの連結用孔１４ａに挿通して、魚礁用ブロック同士を連結することにより（図１１参照。）、潮流等により流されることを防止し易くすることができる。なお、連結用線材１６としては、ワイヤや鎖等を用いればよい。なお、連結用線材１６を貫通孔２０や、貫通トンネル７０（図５参照）に挿通させることも可能である。
【００２２】
図２に示す魚礁用ブロック１０ａは、自然石１２に、複数の非貫通の穴３０，３０ａが設けられたものである。穴３０の開口部３２の径の寸法ｂは、１００〜２００ｍｍであり、全長は１００〜３００ｍｍとするのがよい。一方、穴３０ａの開口部３２ａの径の寸法ｃは、５０〜１００ｍｍであり、全長は１００〜３００ｍｍとするのがよい。この開口部と全長の関係が、特に、漁礁ブロックを設置し易い沿岸部の海域の水生動物の生息・産卵・孵化に適しているので、水生動物が集まり易いからである。
【００２３】
図３に示す魚礁用ブロック１０ｂは、自然石１２ｂに貫通孔４０が設けられたものであり、貫通孔４０は、３以上の開口部、具体的には、開口部４２〜４２ｄの５つを具えている。貫通孔４０の径の寸法は、貫通孔２０（図１参照）と同様である。貫通孔４０のように、３以上の開口部４２〜４２ｄを具えている構成とすれば、他方向から水又は水生生物が出入りすることができるので、水生動物の生息・産卵・孵化に一層適した魚礁用ブロックとすることができる。なお、開口部の個数は任意に設定すればよい。
【００２４】
図４に示す魚礁用ブロック１０ｃは、魚礁用ブロック１０（図１参照）と同様の貫通孔２０，２０ａを具え、さらに、スライス溝５０，５０ａが形成されている。スライス溝５０，５０ａの幅の寸法ｄは、１０〜５０ｍｍであり、深さの寸法ｅは２００〜５００ｍｍ、全長は７００〜１０００ｍｍとするのがよい。漁礁ブロックを設置し易い沿岸部の海域の水生動物の生息・産卵・孵化に適しているからである。スライス溝５０は、図示しているように、連続して複数設けることができる。また、スライス溝５０ａのように、貫通孔２０ａと連通させてもよい。なお、図示しての説明は省略するが、スライス溝５０，５０ａを非貫通の穴３０，３０ａ（図２参照）、３以上の開口部を具える貫通孔４０（図３参照）、先細穴６０（図５参照）、貫通トンネル７０（図５参照）、経路が湾曲している貫通孔８０（図６参照）、或いは、器部１００（図８参照）と連通させてもよい。
【００２５】
図５に示す魚礁用ブロック１０ｄは、非貫通でテーパ状に先細りになっている先細穴６０と、自然石１２ｄの設置時の下面１８に設けられるＵ字状の貫通トンネル７０，７０ａが設けられている。先細穴６０は、開口部６２の径の寸法ｆが２００〜３００ｍｍであり、底の径の寸法ｇを５０〜１００ｍｍ、全長３００〜５００ｍｍとするのがよい。なお、先細穴６０を複数具える構成とすることもできる。貫通トンネル７０，７０ａは、高さｈが１５０〜５００ｍｍであり、幅ｉは１００〜３００、全長７００〜１０００ｍｍとするのがよい。魚礁用ブロック１０ｄでは、２本の貫通トンネル７０，７０ａが設けられているが、１本でもよく、逆に、３本以上設ける構成とすることもできる（図９参照）。また、貫通トンネル７０のように、一の開口部７２から他の開口部７４の高さが異なる構成とすることもできる。
【００２６】
図６に示す魚礁用ブロック１０ｅは、複数の開口部８２〜８２ｃを具える貫通孔８０が設けられており、貫通孔８０の途中経路は湾曲するように形成されている。貫通孔８０の開口部８２〜８２ｃの径の寸法ｊは８０〜１５０ｍｍとし、途中経路の径の寸法は１００〜２００ｍｍとするのがよい。漁礁ブロックを設置し易い沿岸部の海域の水生動物の生息・産卵・孵化に適しているからである。
【００２７】
図７に示す魚礁用ブロック１０ｆは、魚礁用ブロック１０ｂの貫通孔４０と同様の貫通孔４０ａが設けられており、自然石１２ｆの設置時の下面１８の全面に凹部９２と凸部９４からなる凹凸形状９０が形成されている。魚礁用ブロック１０ｆの場合、凹凸形状９０は曲線状であり、この場合、凹凸形状９０の深さは７５〜１２５ｍｍとするのがよい。なお、凹凸形状９０は、図９の凹凸形状１１０のように、直線状のものであってもよい。
【００２８】
図８に示す魚礁用ブロック１０ｇは、魚礁用ブロック１０（図１参照）と同様に貫通孔２０が設けられており、さらに、自然石１２ｇの設置時の上面１９に器部１００が設けられている。このように、器部１００を具える構成とすれば、器部１００に砂利等を敷き詰めることができるので、微生物が生息し易い魚礁用ブロック１０ｇとすることができる。なお、器部１００は、開口部１０２の寸法ｋを２００〜８００ｍｍとし、深さを２００〜４００ｍｍとするのがよい。また、器部１００と非貫通の穴３０，３０ａ（図２参照）、３以上の開口部を具える貫通孔４０（図３参照）、先細穴６０（図５参照）、又は経路が湾曲している貫通孔８０（図６参照）を連通させてもよい。
【００２９】
図９に示す魚礁用ブロック１０ｈは、魚礁用ブロック１０ｄ（図５参照）と同様の貫通トンネル７０，７０ａが設けられており、自然石１２ｈの設置時の上面１９の全面に凹部１１２と凸部１１４からなる凹凸形状１１０が形成されている。魚礁用ブロック１０ｈの場合、凹凸形状１１０は直線状であり、この場合、凹凸形状１１０の深さは５０〜１００ｍｍとするのがよい。図１０の自然石１２ｉの上面１９の凹凸形状１１０ａのように、曲線状のものであってもよい。
【００３０】
図１０に示す魚礁用ブロック１０ｉは、自然石１２ｉの設置時の下面１８と上面１９の両方に曲線状の凹凸形状９０，１１０ａが設けられている。また、魚礁用ブロック１０ｂの貫通孔４０と同様に複数の開口部を具える貫通孔４０ｂを具えている。貫通孔４０ｂの中間には、貫通孔４０ｂの途中経路よりも大径の室１２０が形成されている。このような室１２０を形成することで、水生動物の生息・産卵・孵化に一層適した魚礁用ブロックとすることができる。なお、室１２０の形状は適宜変更してもよい。
【００３１】
図１１に示すように、上記に説明した魚礁用ブロック１０〜１０ｉを組合せて配置することで、魚礁用ブロック群２００を構成することができる。これにより、各魚礁用ブロックの利点を取り入れた魚礁を形成することができるので、水生動物が集め易く、且つ、繁殖し易くすることができる。魚礁用ブロック１０〜１０ｉは、設置水域の環境に合わせて、単体又は複数の組合せで使用することができ、組合せ態様は、図示している以外にも自由に決定することができる。また、魚礁用ブロック群２００を格子状の保護ゲージで覆うことにより、稚魚や卵、貝、その他水生生物が捕食されないように保護することができるので、自然環境における養殖を実現することができる。
【００３２】
図示は省略するが、以上に説明した、穴、貫通孔、先細穴、スライス溝、貫通トンネル、器部は、それぞれを複数設けてもよく、いずれか又は全てを組合せた魚礁用ブロックとしてもよい。また、以上に説明した穴、貫通孔、先細穴、貫通トンネル、器部の形状は、適宜、円形、矩形、三角形等の多角形に変更することができる。このとき、上記に説明した径の寸法は、多角形の実質的な空間部の寸法と対応させればよい。
【００３３】
以上に説明したとおり、本発明によれば、藻類が固着し易く、水生動物の生息・産卵・孵化に適しており、設置した水域の環境に対する被害が少ない魚礁用ブロックを提供することができる。
【符号の説明】
【００３４】
１０〜１０ｉ  魚礁用ブロック
１２〜１２ｉ  自然石
１４〜１４ｃ  連結用孔
１６〜１６ｃ  連結用線材
１８    下面
１９    上面
２０，２０ａ，４０〜４０ｂ，８０  貫通孔
２２，２４，３２，３２ａ，４２〜４２ｄ，６２，８２〜８２ｃ  開口部
３０，３０ａ  穴
５０，５０ａ  スライス溝
６０    先細穴
７０，７０ａ  貫通トンネル
９０，１１０，１１０ａ  凹凸形状
１００    器部
１２０    室